(57)【要約】【課題】壁や収納家具等に設置される棚板において、補強材に収納物を掛けるとともに、補強材を所望の位置に設置する。【解決手段】幅方向に沿って形成された中空孔を複数備える樹脂製の棚板本体２と、この棚板本体２の下面に、該棚板本体２の幅方向に直交して設けられた複数の補強材取付金物３と、これらの補強材取付金物３の下面に、前記棚板本体２の幅方向に沿って設けられ、該棚板本体２の下面より下方に突出した補強材４と、を棚板１に備える。これにより、棚板本体２の下面にはその幅方向に直交して複数の補強材取付金物３が設けられ、これらの補強材取付金物３の下面に、棚板本体２の幅方向に沿って補強材４が設けられる。よって、補強材４を所望の位置に設けることができる。また、補強材４は棚板本体２の下面より下方に突出してるので、補強材４に収納物を掛けることができる。【選択図】図１
2006334147.tif 000002
【特許請求の範囲】
【請求項１】
幅方向に沿って形成された中空孔を複数備える樹脂製の棚板本体と、
この棚板本体の下面に、該棚板本体の幅方向に直交して設けられた複数の補強材取付金物と、
これらの補強材取付金物の下面に、前記棚板本体の幅方向に沿って設けられ、該棚板本体の下面より下方に突出した補強材と、を備えることを特徴とする棚板。
【請求項２】
前記補強材取付金物は、前記棚板本体の幅方向にスライド可能に設けられていることを特徴とする請求項１に記載の棚板。
【請求項３】
前記棚板本体には、下方に開口した一対の溝部が前記棚板本体の幅方向に沿って形成され、
前記補強材取付金物は、その両端部を前記溝部にそれぞれ挿入した状態で前記棚板本体に設けられ、
前記溝部の下部には、前記補強材の脱落を防止する係止部が該溝部に沿って形成されていることを特徴とする請求項１又は２に記載の棚板。
【請求項４】
前記補強材は、収納物が掛けられる被掛止部を備えることを特徴とする請求項１〜３のいずれか一項に記載の棚板。
【請求項５】
前記補強材の下面には、前記棚板本体の幅方向に直交した引出し用のレールが少なくとも一対設けられていることを特徴とする請求項１〜３のいずれか一項に記載の棚板。
【発明の詳細な説明】
【技術分野】
【０００１】
本発明は、壁や収納家具等に設置される棚板に関する。
【背景技術】
【０００２】
従来より、壁や収納家具等に設置される棚板には、長尺の補強材が設けられることがある。この補強材は、樹脂製の棚板本体に幅方向に沿って形成された中空部や溝条等に挿入され、棚板の荷重に対する強度を向上させるものである（特許文献１参照）。
【特許文献１】特開平６−８６５９２号公報
【発明の開示】
【発明が解決しようとする課題】
【０００３】
一方、棚板は、収納物を載置するだけでなく、棚板の下面に収納物を掛けることで効率的に収納を行うことができる。このとき、収納物の荷重に耐えるために、樹脂製の棚板本体よりも補強材に収納物を掛けることが望ましいが、特許文献１に記載された棚板では、棚板本体に形成された溝条又は中空部に補強材を設置するため、該補強材に収納物を掛けることができないという問題があった。そこで、補強材を棚板本体の下面にビス等によって固定すると、補強材に収納物を掛けることはできるが、棚板本体の中空部に対応する位置では棚板本体が薄肉の樹脂で形成されているため、ビス等を棚板本体に強固にねじ込んで補強材を棚板本体の下面に固定することが難しくなる。つまり、中空部に対応する位置では、補強材を棚板本体の下面に固定し難いので、補強材を奥行き方向の所望の位置に設置できないという問題があった。
【０００４】
本発明の課題は、壁や収納家具等に設置される棚板において、補強材に収納物を掛けるとともに、補強材を所望の位置に設置することである。
【課題を解決するための手段】
【０００５】
以上の課題を解決するため、請求項１に記載の発明は、例えば図１及び２に示すように、幅方向Ｘに沿って形成された中空孔を複数備える樹脂製の棚板本体２と、
この棚板本体２の下面に、該棚板本体２の幅方向Ｘに直交して設けられた複数の補強材取付金物３と、
これらの補強材取付金物３の下面に、前記棚板本体２の幅方向Ｘに沿って設けられ、該棚板本体２の下面より下方に突出した補強材４と、を備えることを特徴としている。
ここで、補強材取付金物をビス等によって棚板本体に設けるには、ビス等が棚板本体の厚肉部に打ち込まれるようにする。
【０００６】
請求項１に記載の発明によれば、幅方向Ｘに沿って形成された中空孔を複数備える樹脂製の棚板本体２の下面には、その幅方向Ｘに直交して複数の補強材取付金物３が設けられ、これらの補強材取付金物３の下面に、棚板本体２の幅方向Ｘに沿って補強材４が設けられる。よって、補強材４を所望の位置に設けることができる。また、補強材４は棚板本体２の下面より下方に突出してるので、補強材４に収納物を掛けることができる。
【０００７】
請求項２に記載の発明は、請求項１に記載の棚板において、例えば図１及び２に示すように、前記補強材取付金物３は、前記棚板本体２の幅方向Ｘにスライド可能に設けられていることを特徴としている。
【０００８】
請求項２に記載の発明によれば、補強材取付金物３は棚板本体２の幅方向Ｘにスライド可能に設けられているため、補強材取付金物３の位置を容易に変更することができる。
【０００９】
請求項３に記載の発明は、請求項１又は２に記載の棚板において、例えば図１及び２に示すように、前記棚板本体２には、下方に開口した一対の溝部２ｅが前記棚板本体２の幅方向Ｘに沿って形成され、
前記補強材取付金物３は、その両端部を前記溝部２ｅにそれぞれ挿入した状態で前記棚板本体２に設けられ、
前記溝部２ｅの下部には、前記補強材４の脱落を防止する係止部２ｆが該溝部２ｅに沿って形成されていることを特徴としている。
【００１０】
請求項３に記載の発明によれば、補強材取付金物３は、両端部が棚板本体２に開口した溝部２ｅに挿入されており、これらの溝部２ｅの下部には補強材取付金物３の脱落を防止する係止部２ｆが形成されている。よって、係止部２ｆによって補強材取付金物３が棚板本体２から脱落するのを防ぐことができる。
【００１１】
請求項４に記載の発明は、請求項１〜３のいずれか一項に記載の棚板において、例えば図１及び２に示すように、前記補強材４は、収納物が掛けられる被掛止部４ｂを備えることを特徴としている。
【００１２】
請求項４に記載の発明によれば、補強材４には被掛止部４ｂが備えられているため、この被掛止部４ｂに収納物を掛けることができる。
【００１３】
請求項５に記載の発明は、請求項１〜３のいずれか一項に記載の棚板において、例えば図３及び４に示すように、前記補強材１４の下面には、前記棚板本体１２の幅方向Ｘ（図２参照）に直交した引出し用の引出し用レール１５が少なくとも一対設けられていることを特徴としている。
【００１４】
請求項５に記載の発明によれば、補強材１４の下面には棚板本体１２の幅方向Ｘ（図２参照）に直交した引出し用レール１５が少なくとも一対設けられているため、これらの引出し用レール１５に引出しを設けることができる。
【発明の効果】
【００１５】
本発明によれば、補強材は棚板本体の下面に設けられた補強材取付金物の下面に設けられるため、補強材を所望の位置に設けることができる。また、補強材に収納物を掛けることができる。
【発明を実施するための最良の形態】
【００１６】
（第１の実施形態）
以下、図を参照して本発明に係る棚板１の第１の実施形態について詳細に説明する。
図１は棚板１の側面図、図２は棚板１の斜視図である。この棚板１は、樹脂製の棚板本体２と、棚板本体２の下面に設けられた３つの補強材取付金物３と、これらの補強材取付金物３の下面に設けられた２つの補強材４と、を備えている。
【００１７】
図１に示すように、棚板本体２は、押出成形によって形成されたもので、水平な上部板２ａと、この上部板２ａから下方に離間した下部板２ｂと、上部板２ａ及び下部板２ｂを連結する複数のリブ２ｃと、上部板２ａの奥行き方向Ｙ（図２参照）の一端部から上方に立設された棚板取付部２ｄと、を備えている。これらの上部板２ａ、下部板２ｂ、及びリブ２ｃは、全て薄肉に形成されており、上部板２ａと、下部板２ｂと、隣接するリブ２ｃとによって棚板本体２の幅方向Ｘ（図２参照）に平行な中空孔が複数形成されている。また、棚板本体２は、棚板取付部２ｄに止着材を打ち込むことによって壁や収納家具に設置される。
【００１８】
また、棚板本体２には、下方に開口した一対の溝部２ｅが幅方向Ｘ（図２参照）に沿って形成されており、これらの溝部２ｅの下部には、棚板本体２の下面と面一な係止部２ｆが溝部２ｅに沿ってそれぞれ形成されている。
【００１９】
図１に示すように、補強材取付金物３は、薄肉の金属板から形成され、両端部３ａと中間部３ｂとの間に段差が設けられた構成となっている。補強材取付金物３は、これらの両端部３ａを溝部２ｅにそれぞれ挿入し両端部３ａの下面が係止部２ｆの上面に当接した状態で、棚板本体２に設けられている。また、補強材取付金物３は、棚板本体２の幅方向Ｘ（図２参照）に沿ってスライド可能になっている。
【００２０】
図１及び２に示すように、補強材４は、薄肉の金属板を直角に折り曲げた断面Ｌ型の形状をしており、水平な取付部４ａと、垂直な被掛止部４ｂと、を備えている。この取付部２ｄが補強材取付金物３の下面に固定されることによって、補強材４が棚板本体２の幅方向Ｘに沿って設けられている。なお、取付部４ａは、ビス等の止着材によって補強材取付金物３に固定される。
【００２１】
図２に示すように、補強材４の被掛止部４ｂには、厚さ方向に複数の掛止孔４ｃが形成されており、これらの掛止孔４ｃに収納部が掛けられる。
【００２２】
以上の第１の実施形態によれば、棚板本体２の下面にはその幅方向Ｘに直交して複数の補強材取付金物３が設けられ、これらの補強材取付金物３の下面に、棚板本体２の幅方向Ｘに沿って補強材４が設けられる。よって、補強材４を所望の位置に設けることができる。また、補強材４は棚板本体２の下面より下方に突出してるので、補強材４に収納物を掛けることができる。
【００２３】
また、補強材取付金物３は棚板本体２の幅方向Ｘにスライド可能に設けられているため、補強材取付金物３の位置を容易に変更することができる。
【００２４】
さらに、補強材取付金物３は、両端部が棚板本体２に開口した溝部２ｅに挿入されており、これらの溝部２ｅの下部には補強材取付金物３の脱落を防止する係止部２ｆが形成されている。よって、係止部２ｆによって補強材取付金物３が棚板本体２から脱落するのを防ぐことができる。
【００２５】
また、補強材４には被掛止部４ｂが備えられ、この被掛止部４ｂには掛止孔４ｃが形成されているため、この被掛止部４ｂに形成された掛止孔４ｃに収納物を掛けることができる。
【００２６】
（第２の実施形態）
次に、図を参照して本発明に係る棚板１の第２の実施形態について詳細に説明する。
図３は棚板１１の側面図、図２は棚板１１の斜視図である。この棚板１１は、樹脂製の棚板本体１２と、棚板本体１２の下面に設けられた３つの補強材取付金物１３と、これらの補強材取付金物１３の下面に設けられた２つの補強材１４と、これらの補強材１４の下面に設けられた２対の引出し用レール１５と、を備えている。
【００２７】
図３及び４に示すように、棚板本体１２及び補強材取付金物１３の形状及び構成については第１の実施例と同様であるため、それらの説明は省略する。
【００２８】
補強材１４は、断面矩形の金属製の筒体であり、その上面が補強材取付金物１３の下面に固定されることによって、補強材１４が棚板本体１２の幅方向Ｘ（図２参照）に沿って設けられている。なお、補強材１４は、ビス等の止着材によって補強材取付金物１３に固定される。
【００２９】
引出し用レール１５には開口部１５ａが形成されており、対になる引出し用レール１５が一定間隔で離間するとともに互いの開口部１５ａを対向させた状態で、補強材４の下面に棚板本体２の奥行き方向Ｙ（図２参照）に沿って設けられている。また、これらの引出し用レール１５には、引出し１６がそれぞれ設けられており、詳しくは、引出し１６の上端部から側方向に突出した突出部１６ａが引出し用レール１５の開口部１５ａに挿入されている。
【００３０】
以上の第２の実施形態によれば、棚板本体１２及び補強材取付金物１３については第１の実施形態と同様の効果が得られる。また、補強材１４は補強材取付金物１３の下面に設けられるため、補強材１４を所望の位置に設けることができるほか、補強材１４の下面には棚板本体１２の幅方向Ｘに直交した引出し用レール１５が少なくとも一対設けられているため、これらの引出し用レール１５に引出しを設けることができる。
【００３１】
なお、以上の実施形態においては、棚板本体２，１２に形成した取付部２ｄと止着材とによって壁や収納家具に取り付けるものとしたが、本発明はこれに限定されるものではなく、収納家具の側板に設けた突出部を棚板本体２，１２の下面に形成した凹部に挿入して設けてもよい。
また、補強材取付金物３，１３はビス等の止着材によって棚板本体２，１２に取り付けてもよい。なお、このとき止着材は、棚板本体２，１２に形成した肉厚部又はリブ２ｃに打ち込むことが好ましい。
さらに、補強材４の被掛止部４ｂに掛止孔４ｃを設けたが、補強材４にフック等を設けて収納物を掛けてもよい。
【図面の簡単な説明】
【００３２】
【図１】本発明に係る棚板の第１の実施形態の構成を示す側面図である。
【図２】本発明に係る棚板の第１の実施形態の構成を示す斜視図である。
【図３】本発明に係る棚板の第２の実施形態の構成を示す側面図である。
【図４】本発明に係る棚板の第２の実施形態の構成を示す正面図である。
【符号の説明】
【００３３】
１，１１  棚板
２，１２  棚板本体
２ｅ  溝部
２ｆ  係止部
３，１３  補強材取付金物
４，１４  補強材
４ｂ  被掛止部
１５  引出し用レール
【図１】
2006334147.tif 000003
【図２】
2006334147.tif 000004
【図３】
2006334147.tif 000005
【図４】
2006334147.tif 000006